(57)【特許請求の範囲】
【請求項１】
隔壁の貫通孔に取り付けられるとともに、フィルタの収納部を形成した本体と、
隔壁の外側から本体に着脱自在に装着され、かつ羽板が形成されたカバーと、
本体及びカバーに形成されて、カバーを本体に挿入後軸回りに所定角度回動させて両者を連結するための案内機構と、
隔壁の外側から前記カバーと一体的に着脱可能なフードと、
操作部がカバー部分に形成されて、案内機構によりカバーが所定角度回動した位置で前記操作部を操作することにより、前記本体に対するカバー及びフードの回動をロックするロック機構と、
を備えたことを特徴とするルーバー。
【発明の詳細な説明】
【０００１】
【発明の属する技術分野】
本発明は、通気や結露防止等のため電気設備等の筐体に取り付けられるフィルタ内蔵式のルーバーに関し、詳しくは筺体の外側からフィルタの交換を可能にしたルーバーに関する。
【０００２】
【従来の技術】
従来、電気設備等の筐体に取り付けられるフィルタ内蔵式のルーバーは、フィルタ交換の際、筐体の内側から交換していた。
【０００３】
【発明が解決しようとする課題】
筐体の内側からフィルタを交換する場合、筐体の内側のスペースに余裕があれば問題なく交換が可能である。しかしながら、一般には筐体の内側は、機器が配置されていてスペースに余裕が無い場合が多い。余裕が無い場合は、フィルタ交換の作業性が悪くなり、最悪はフィルタ交換が不可能なこともある。そこで、本発明は、フィルタ交換を筐体の外側から実施可能にするルーバーを提供することを課題とした。
【０００４】
【課題を解決するための手段】
上記課題を解決するために、請求項１の発明は、隔壁の貫通孔に取り付けられるとともに、フィルタの収納部を形成した本体と、隔壁の外側から本体に着脱自在に装着され、かつ羽板が形成されたカバーと、本体及びカバーに形成されて、カバーを本体に挿入後軸回りに所定角度回動させて両者を連結するための案内機構と、隔壁の外側から前記カバーと一体的に着脱可能なフードと、操作部がカバー部分に形成されて、案内機構によりカバーが所定角度回動した位置で前記操作部を操作することにより、前記本体に対するカバー及びフードの回動をロックするロック機構とを備えたことを特徴とする。
【０００６】
【発明の実施の形態】
以下、図に沿って本発明の実施形態を説明する。
図１（ａ）は請求項１の発明に係る屋外設置用のルーバーの実施形態を示す縦断面図、（ｂ）は（ａ）のａ部拡大図であり、図２、図３は図１の部品である本体１の詳細を示す部品図であり、図２（ａ）は外側方向から見た外観図、（ｂ）は（ａ）のａ部拡大断面図、図３（ａ）は内側方向から見た外観図、（ｂ）は（ａ）のA−A断面図である。
【０００７】
図において、１は本体であり、取り付け状態で内側となる底面部に平行な透孔１１が等間隔で形成されその内側に金網１２が張設されている。なお、図２（ａ）、図３（ａ）では金網１２を除去した状態を示す。この金網１２の内側がフィルタ収納部１３となり、組み立て後にフィルタ２が着脱自在に収納される。また、本体１の外周部には雄ねじ１４が形成されている。この雄ねじ１４には、取り付けパネル５の内側から固定リング３が螺着される。本体１の内周部には係合用の突起１５が１８０度ピッチで１対設けられている。さらに、図２（ａ）に示すように、本体１の外周フランジ部１６の内側面の約１４５度の範囲に、回転方向の溝１７が形成されており、溝１７の終端部には、段部１７ａを介して鉤状部１７ｂが形成されている。
【０００８】
図４、図５は図１の部品であるカバー４の詳細を示す部品図であり、図４の（ｂ）は外側から見た外観図であり、図（ａ）、図（ｃ）は（ｂ）の側面図である。図５は図４（ｂ）のB−B断面図である。図において、４はカバーであり、取り付け状態で外側となる外周部４０の内部には、断面三角形をした羽板４１が平行且つ等間隔で複数形成されている。カバー４の胴部４９の周方向には、本体１の突起１５が係合する溝４２が１８０度ピッチで１対設けられている。
【０００９】
溝４２の端部は、図４（ａ）、（ｃ）に示されるように、突起１５を迎え入れるためカバー４の内側面に連続する導入部４２ａとなっている。これら溝４２と突起１５により案内機構が構成される。また、カバー４の前面には、本体１の溝１７と係合する操作部としてのロック片４３（図１参照）をスライド自在に収納する収納部４４が形成されている。さらに、カバー４の胴部４９の全周には、Ｏリング用の溝４５が形成されている。
また、外周部４０の一面には位置決め突起４７，４８が形成されている。
なお、図４、図５では便宜上、図１に示したロック片４３の図示を省略してある。また、このロック片４３をスライド自在に保持するように、図１に示す如くロック片押さえ４６が収納部４４の表面に固定されているが、このロック片押さえ４６についても図４、図５では省略してある。
【００１０】
図６（ａ）はフード７の背面図、（ｂ）は側面図である。
フード７の背板７１にはカバー４の胴部４９が挿通される丸孔７２が形成されていると共に、丸孔７２の周囲３ヶ所には、ロック片４３の端部を受容する切欠７４と、前記位置決め突起４７，４８に対応する切欠７３，７５が形成されている。
【００１１】
図７、図８は、組み立て手順を示す分解斜視図である。以下、組み立て手順を説明する。先ず、図７において、隔壁であるところの取り付けパネル５に形成された貫通孔５１の前方から、防水パッキン６を介して、本体１を挿入する。次いで、本体１の外周部の雄ねじ１４に、取り付けパネル５の内側から固定リング３を螺着することで、本体１は取り付けパネル５に固定される。
【００１２】
次に、図８において、固定された本体１の金網１２の内側部分のフィルタ収納部１３に、円板状のフィルタ２を挿入する。次いで、カバー４の溝４５にＯリング（図示せず）を装着してから、切欠７３，７５とカバー４の位置決め突起４７，４８とを合致させながらフード７の内部にカバー４を挿入してフード７の丸孔７２部分からカバー４の一部を突出させた状態で、カバー４を本体１に挿入する。このとき、収納部４４には既にロック片４３が装着されておりその端部はフード７の切欠７４に係合していると共に、ロック片４３を本体１の溝１７に嵌合させる。同時に、本体１の突起１５をカバー４の導入部４２ａを介して溝４２に係合させる。両方とも係合されたら、カバー４をフード７とともに時計方向に回転させ、約１４５度回転させると突起１５が溝４２の終端に達する。すなわち、ここでは、カバー４と一体化させたフード７を正立の状態から反時計方向に約１４５度回転させた状態でセットし、それから組み込みを開始することになる。
なお、図９は、フード７のセット位置及び固定位置を示したものである。
このように、フード７とカバー４とを一体化した状態でセットし、その後突起１５と溝４２とを係合させた状態で本体１に対して所定角度回転させることにより、本体１、フード７およびカバー４が取り付けパネル５を介して一体的に連結される。
【００１３】
次に、ロック片４３を外周方向にスライドさせて、ロック片４３を溝１７の終端の鉤状部１７ｂに挿入して、その位置を保持させる。このロック片４３の移動に際しては図２ｂに示した段部１７ａを乗り越えることでクリック動作を伴なうようにしておき、ロック片４３を下降させるような外力を加えない限り戻らないように構成しておく。この状態で、カバー４がフード７とともに、本体１の正常な位置に保持されることになり、ルーバーの組み立てが完了する。
上述したロック機構は、例えば屋外においてフード７のみを取り去ったり、カバー４の羽板４１の隙間に詰め物をする等の悪戯を防止するのに効果的である。
【００１４】
このルーバーを分解する場合やフィルタ２を交換する場合は、上述した順番と反対に操作することで、本体１からカバー４及びフード７を取り外すことができる。
上述したルーバーでは、本体１を取り付けパネル５に取り付けるまでは、取り付けパネル５の内側のスペースを作業のために必要とするが、本体１を取り付けた後は、取り付けパネル５の内側のスペースを全く使用することなくカバー４やフード７の取り付け取り外しが可能であるため、以後のフィルタ交換や点検についての作業性が著しく向上する。
【００１５】
次に、他の実施形態について説明する。この実施形態は、屋内設置用のルーバーに関するものである。具体的には、上述した実施形態において、フード７とロック片４３とを除去し、またカバー４Ａの一部の構造を変更したものであり、他の構成および組立手順はほぼ共通であるので、図１０に縦断面図を示し、共通部品には共通な符号を付して詳細な説明は省略する。なお、本体１の溝１７は不要であるが、第１の実施形態で使用した本体１をそのまま使用してもよい。この実施形態においても、本体１の取り付け後は、取り付けパネル５の内側のスペースを全く使用することなくカバー４の取り付け取り外しが可能であるため、以後のフィルタ交換や点検の作業性が著しく向上する。
【００１６】
【発明の効果】
以上述べたように本発明によれば、隔壁の外側からカバーを本体に着脱自在に装着する構造であるため、フィルタ交換の際は、隔壁の外側からカバーを取り外し、フィルタ交換をしてから再びカバーを装着することが可能となる。このように、フィルタ交換が隔壁の外側から行われることで、ルーバーが取り付けられる筐体の内側のスペース余裕の有無にかかわらず、簡単にフィルタを交換することが可能となる。
【図面の簡単な説明】
【図１】本発明の第１の実施形態を示す縦断面図である。
【図２】図１中の本体の詳細を示す図である。
【図３】図１中の本体の詳細を示す図である。
【図４】図１中のカバーの詳細を示す図である。
【図５】図１中のカバーの詳細を示すB-B断面図である。
【図６】図１中のフードの詳細を示す図である。
【図７】組み立て手順を示す分解斜視図である。
【図８】組み立て手順を示す分解斜視図である。
【図９】組み立て手順を示す説明図である。
【図１０】本発明の第２の実施形態を示す縦断面図である。
【符号の説明】
１  本体
２  フィルタ
３  固定リング
４  カバー
４A  カバー
５  取り付けパネル
６  防水パッキン
７  フード
１１  透孔
１２  金網
１３  フィルタ収納部
１４  雄ねじ
１５  突起
１６  外周フランジ部
１７  溝
１７ａ  段部
１７ｂ  鉤状部
４０  外周部
４１  羽板
４２  溝
４３  ロック片
４４  収納部
４５  溝
４６  ロック片押さえ
４７，４８  位置決め突起
４９  胴部
５１  貫通孔
７１  背板
７２  丸孔
７３〜７５  切欠
【図１】
0004136236.tif 000002
【図２】
0004136236.tif 000003
【図３】
0004136236.tif 000004
【図４】
0004136236.tif 000005
【図５】
0004136236.tif 000006
【図６】
0004136236.tif 000007
【図７】
0004136236.tif 000008
【図８】
0004136236.tif 000009
【図９】
0004136236.tif 000010
【図１０】
0004136236.tif 000011